(57)【要約】      （修正有）【課題】水標の設置作業が容易であるとともに、量水標を長期間にわたって設置可能とする量水標設置具を提供する。【解決手段】量水標２が設置される量水標設置具１Ａであって、長手方向に延びる長手部材１０Ａであって、量水標２を受け入れる受入溝１２が形成されたリサイクル樹脂からなる長手部材１０Ａを備える。長手部材１０Ａの側面に水圧式水位センサ６０を収納する収納空間３０が設けられる。【選択図】図４
0003220770.tif 000002
【実用新案登録請求の範囲】
【請求項１】
量水標が設置される量水標設置具であって、
長手方向に延びる長手部材であって、前記量水標を受け入れる受入溝が形成されたリサイクル樹脂からなる長手部材を備えた、量水標設置具。
【請求項２】
請求項１に記載の量水標設置具において、
前記長手部材の側面に水圧式水位センサを収納する収納空間が設けられている、量水標設置具。
【請求項３】
請求項１または２に記載の量水標設置具において、
前記長手部材に少なくとも１つの電極式水位センサが取り付けられている、量水標設置具。
【請求項４】
請求項１から３のいずれか一項に記載の量水標設置具において、
前記長手部材の長手方向に沿ってレーザー走査式水位計を収納する収納溝が形成されている、量水標設置具。
【考案の詳細な説明】
【技術分野】
【０００１】
本考案は、河川などに設置される表面に目盛りが付された量水標を設置するための設置具に関する。
【背景技術】
【０００２】
この種の量水標であって、特許文献１に記載のような量水標は、従来、橋脚のような流水による圧力に耐えることができる構造体に、直接取り付けられるか、または、材木などを当て板にして設置される。
【先行技術文献】
【特許文献】
【０００３】
【特許文献１】特開２００５−３４５４０３号公報
【考案の概要】
【考案が解決しようとする課題】
【０００４】
しかし、構造体に量水標を取り付ける場合、量水標の設置作業は容易ではない。また、材木を当て板とすると、量水標は水位上昇とともに水没し、その都度当て板も共に水没する。そのため当て板の木材が劣化して短期間で腐敗してしまうことがある。
【０００５】
そこで、本考案は、量水標の設置作業が容易であるとともに、量水標を長期間にわたって設置可能とする量水標設置具を提供することを目的とする。
【課題を解決するための手段】
【０００６】
上記目的を達成するために、本考案の一構成にかかる量水標設置具は、量水標が設置される量水標設置具であって、長手方向に延びる長手部材であって、前記量水標を受け入れる受入溝が形成されたリサイクル樹脂からなる長手部材を備える。
【０００７】
この構成によれば、量水標設置具の長手部材がリサイクル樹脂からなり、リサイクル樹脂は耐水性が高いことから、長期間にわたって量水標を設置できる。また、長手部材に量水標を受け入れる受入溝が形成されているため、量水標を橋脚のような構造体に直接取り付ける必要がなく、設置作業が容易である。
【０００８】
前記長手部材の側面に水圧式水位センサを収納する収納空間が設けられてもよい。この構成によれば、長手部材の側面に水圧式水位センサを収納する収納空間が設けられているため、作業員が量水標設置具の設置場所に出向くことなく、水位が特定のレベルに達したことを遠隔に監視できる。水圧式水位センサは、好ましくは、前記長手部材の上部および／または下部に設けられる。
【０００９】
前記長手部材に少なくとも１つの電極式水位センサが取り付けられてもよい。この構成によれば、長手部材に少なくとも１つの電極式水位センサが取り付けられているため、作業員が量水標設置具の設置場所に出向くことなく、水位を遠隔に測定および監視できる。
【００１０】
前記長手部材の長手方向に沿ってレーザー走査式水位計を収納する収納溝が形成されていてもよい。この構成によれば、長手部材の長手方向に沿ってレーザー走査式水位計を収納する溝が形成されているため、作業員が量水標設置具の設置場所に出向くことなく、水位が特定のレベルに達したことを遠隔に監視できる。
【考案の効果】
【００１１】
本考案にかかる量水標設置具によれば、止め孔が自由に加工でき、量水標の設置作業が容易で、量水標を長期間にわたって設置できる。
【図面の簡単な説明】
【００１２】
【図１】本考案の第１の実施形態にかかる量水標設置具であって、（ａ）は量水標が取り付けられた状態の量水標設置具の正面図、（ｂ）はその量水標設置具の側面図である。
【図２】図１の量水標設置具であって、量水標が取り付けられていない状態の量水標設置具の部分斜視図である。
【図３】図１の量水標設置具の一部の背面図である。
【図４】本考案の第２の実施形態にかかる量水標設置具であって、（ａ）は量水標が取り付けられた状態の量水標設置具の正面図、（ｂ）はその量水標設置具の側面図である。
【図５】図４の量水標設置具であって、量水標が取り付けられていない状態の量水標設置具の部分斜視図である。
【図６】図４の量水標設置具であって、量水標が取り付けられていない状態の量水標設置具の正面図である。
【図７】本考案の第３の実施形態にかかる量水標設置具であって、（ａ）は量水標が取り付けられた状態の量水標設置具の正面図、（ｂ）はその量水標設置具の側面図である。
【図８】図７の量水標設置具のVIII−VIII線に沿った上面図である。
【図９】図７の量水標設置具の部分拡大図である。
【図１０】図７の量水標設置具の変形例であって、（ａ）は量水標が取り付けられた状態の量水標設置具の正面図、（ｂ）はその量水標設置具の側面図である。
【考案を実施するための形態】
【００１３】
以下、本考案の好ましい実施形態について図面を参照しながら説明する。
図１（ａ）および（ｂ）、図２ならびに図３に、本考案の第１の実施形態にかかる量水標設置具１を示す。量水標設置具１は、量水標２が設置される設置具であり、量水標２が設置された状態で河川のような水位が変化し得る場所における任意の地点に設置される。
【００１４】
量水標設置具１は、長手方向に延びた平板状の長手部材１０からなる。なお、量水標設置具１は、長手部材１０が鉛直方向に延在されるように河川などに設置される。長手部材１０は、その全体が、再利用されたプラスチックであるリサイクル樹脂（再生プラスチック）から作製されている。このようなプラスチックとしては、樹脂成形時に生じる樹脂かすや樹脂製品の廃物などを原料とするプラスチックに限らず、いわゆる容器リサイクル法によって得られたプラスチックや木粉を材料とするバイオプラスチックなども含まれる。
【００１５】
量水標設置具１には、量水標２を受け入れる受入溝１２が形成されている。受入溝１２は、長手部材１０の両側端において長手方向に沿って延びる縁１４，１４によって両内側面が画定された溝からなる。受入溝１２の上下端は開口している。受入溝１２の幅方向寸法は、長方形で板状の量水標２の幅方向寸法よりもわずかに大きく、量水標２が受入溝１２に嵌り込むように形成されている。受入溝１２の長手方向寸法つまり長手部材１０の長手方向寸法は、量水標２の長手方向寸法よりも十分に大きい。そのため、受入溝１２によって塞がれない空間１２ａが量水標２には構成される。受入溝１２の深さは量水標２の厚みとほぼ同一の寸法を有する。そのため、量水標２が受入溝１２に係合して収容されると、量水標２と縁１４，１４はほぼ面一となる。
【００１６】
量水標２には、水位を読み取るための線や数字からなる目盛りが付されている。そのため、河川などに量水標設置具１が設置された状態で、作業員が、水面の目盛りを読み取って水位を認識することができる。量水標２の目盛りは、蛍光線や蓄光線によるものであってもよい。この場合、視認性が向上する。
【００１７】
量水標２には、量水標２の前後面に貫通する量水標貫通孔（図示せず）が複数形成されている。量水標設置具１の受入溝１２の底壁１２ｂにも、量水標貫通孔にそれぞれ対応して、量水標用設置具孔１２ｂａが複数形成されている。つまり、量水標設置具１および量水標２は、量水標貫通孔を挿通したボルト（図示せず）が量水標用設置具孔１２ｂａに螺合するように構成されている。量水標設置具１の縁１４，１４にも、側方貫通孔１４ａが複数形成されている。これら側方貫通孔１４ａは、量水標設置具１を橋脚のような構造体の壁面などに設置する際に用いられる。側方貫通孔１４ａは、任意の箇所に設けられることができる。つまり、量水標設置具１が設置される設置面に応じて、自由に加工可能である。なお、量水標設置具１は、側方貫通孔１４ａを設けずに、代わりに、強力接着剤などで設置面に取り付けられてもよい。または、量水標設置具１は、側方貫通孔１４ａにボルトを挿通し、かつ、強力接着剤によって壁面に設置されてもよい。
【００１８】
図３に示すように、量水標設置具１の背面１６には、電極式水位センサ５０が取り付けられてもよい。電極式水位センサ５０は、本体５２と、本体５２にそれぞれ電線５３，５３で接続された２つの電極５４，５４とを有する。本体５２は、例えば２つの金属板５６，５６によって背面１６に固定されている。２つの電極５４，５４は、これらの先端が同じ高さとなるように、かつ、例えばそれぞれ垂直に延びるように配置されて、１つのプラスチック板５８によって背面１６に固定されている。好ましくは、本体５２は電極５４，５４よりも高い位置に配置される。
【００１９】
本体５２は、検知部（図示せず）および送信部（図示せず）を含む。検知部は、電極５４，５４間に水が流れること、つまり電極５４，５４に水位が達したことを検知する。送信部は、検知部の検知に応じて信号を無線送信する。これにより、作業員が量水標設置具１の設置場所に出向くことなく、例えば、インターネット、電子メールおよびスマートフォンのアプリなどを用いて、河川などの水位が特定のレベルに達したことを遠隔に監視できる。
【００２０】
なお、図３の例では電極式水位センサ５０が量水標設置具１の長手部材１０の上部１０ａに１つ設けられている。もっとも、電極式水位センサ５０は量水標設置具１にいくつ設けられてもよい。例えば、量水標設置具１の上部１０ａと下部の２箇所に２つ設けられれば、水位が２つの水位基準に対して達しているか否かを検出できる。また、本実施形態では電極式水位センサ５０が長手部材１０の背面１６に取り付ける例を示したが、長手部材１０の側面または前面に取り付けられてもよい。
【００２１】
次に、量水標設置具１の設置方法について図１（ａ）および（ｂ），図２ならびに図３を参照して説明する。
まず、現場に量水標設置具１を運ぶ前に、量水標２を量水標設置具１に取り付ける。具体的には、量水標２を量水標設置具１の受入溝１２に嵌めてから、量水標２の量水標貫通孔（図示せず）にボルトを挿通して量水標用設置具孔１２ｂａに螺合し、量水標２を量水標設置具１に取り付ける。量水標２は、その長手方向の一端（図示の例では下端）が長手部材１０の長手方向の一端と揃うように取り付けられてもよい。これにより、量水標２のその長手方向の他端部（図示の例では上端部）には空間１２ａが構成される。
【００２２】
この量水標２が取り付けられた量水標設置具１を現場（例えば量水標設置具１を設置する河川の付近）に運ぶ。現場では、量水標設置具１が長すぎるような場合、長手部材１０の長手方向の他端側を不要な分だけ、のこぎりなどで切り取ってもよい。これにより空間１２ａが小さくなる。
【００２３】
量水標設置具１を橋脚のような構造体に支持されるように配置する。その後、量水標設置具１の側方貫通孔１４ａにボルトを挿通して量水標設置具１を構造体の壁面に固定する。電極式水位センサ５０は、量水標設置具１を設置する前または後に量水標設置具１に取り付けられる。
【００２４】
設置後の運用中は、水位上昇時に量水標設置具１が水没する。このように水没しても、量水標設置具１がリサイクル樹脂からなるため、腐食してしまうことはない。
【００２５】
本考案の第２の実施形態にかかる量水標設置具１Ａについて、図４（ａ）および（ｂ）、図５ならびに図６を参照して説明する。なお、本実施形態において、第１の実施形態に関して説明した構成要素と共通する構成要素については、同一の参照符号を付して説明を省略する。
【００２６】
本実施形態にかかる量水標設置具１Ａも長手方向に延びる長手部材１０Ａからなるが、この長手部材１０Ａは、その厚みｄが第１の実施形態にかかる量水標設置具１（図１（ｂ））の長手部材１０（図１（ｂ））よりも大きい。また、長手部材１０Ａの長手方向寸法は第１の実施形態にかかる量水標設置具１の長手部材１０よりも短いものとする。
【００２７】
長手部材１０Ａの一方の側面１８には、下方と側方が開口した空間３０が形成されている。この空間３０は、水圧式水位センサ６０を収納する収納空間である。収納空間３０は下方と側方が開口しているため、その内部の水位は量水標設置具１Ａが設置された河川などの水位と同一になる。水圧式水位センサ６０は、水中に投下されて用いられ、水深変化を検知する。そのため、収納空間３０の高さの範囲内で水位を検知可能である。水圧式水位センサ６０は、電線（図示せず）でその本体（図示せず）に接続されている。この本体は量水標設置具１Ａの任意の箇所に取り付けられてもよい。本体は、水圧式水位センサ６０によって検出される水位についての信号を無線送信する。これにより、作業員が量水標設置具１の設置場所に出向くことなく、河川などの水位を遠隔に測定および監視できる。
【００２８】
本実施形態においても、第１の実施形態に関連して説明した電極式水位センサ５０（図３）が１つ以上設けられてもよい。例えば、長手部材１０Ａの上部１０Ａａであって、収納空間３０の上端よりも上方のみに、電極式水位センサ５０（図３）が１つ設けられてもよい。この構成によれば、水圧式水位センサ６０と電極式水位センサ５０とによって、広い水位範囲を遠隔監視できる。
【００２９】
図６に示すように、量水標設置具１Ａは、側方貫通孔１４ａ（図１（ａ））の代わりに中央貫通孔１２ｂｂが受入溝１２の底壁１２ｂの幅方向中央部に並んで複数形成されている。これら中央貫通孔１２ｂｂは、量水標設置具１を構造体の壁面などに設置する際に用いられる。これら中央貫通孔１２ｂｂの周りには座繰り１２ｂｃが形成されている。そのため、これら中央貫通孔１２ｂｂにボルトが挿通されても、底壁１２ｂの内面つまり受入溝１２の底面からボルトの頭部が突出するようなことがない。したがって、量水標２が受入溝１２に係合するのをボルトの頭部が妨げることがない。
【００３０】
本考案の第３の実施形態にかかる量水標設置具１Ｂについて、図７（ａ）および（ｂ）、図８ならびに図９を参照して説明する。本実施形態において、第１および／または第２の実施形態に関して説明した構成要素と共通する構成要素については、同一の参照符号を付して説明を省略する。
【００３１】
本実施形態にかかる量水標設置具１Ｂが、第１の実施形態にかかる量水標設置具１（図１（ａ）および（ｂ））と異なる点は、縁１４，１４において、それぞれ、長手方向に沿ってレーザー走査式水位計７０を収納する収納溝４０が形成されている点である。レーザー走査式水位計７０は、上方から水面に対してレーザーを照射して、水位を測定するものである。レーザー走査式水位計７０は、収納溝４０内の任意の高さに配置可能である。図７（ａ）の例では、一方（紙面左側）のレーザー走査式水位計７０は長手部材１０の上部１０ａに配置され、他方（紙面右側）のレーザー走査式水位計７０は長手部材１０の下部１０ｂに配置されている。レーザー走査式水位計７０は、それぞれ、電線で共通の送信器７２に接続されている。
【００３２】
この第３の実施形態にかかる量水標設置具１Ｂは、図１０に示す変形例であってもよい。具体的には、長手部材１０における、上部１０ａの両側と下部１０ｂの両側とにレーザー走査式水位計７０が配置されている。つまり、合計４つのレーザー走査式水位計７０が配置されている。これらレーザー走査式水位計７０のうち、上部１０ａに配置された２つのレーザー走査式水位計７０は電線で上側の共通の送信器７２に接続され、下部１０ｂに配置された２つのレーザー走査式水位計７０は電線で下側の送信器７２に接続されている。
【００３３】
なお、収納溝４０が第２の実施形態にかかる量水標設置具１Ａ（図４（ａ）および（ｂ））に設けられて、レーザー走査式水位計７０がその収納溝４０内に配置されてもよい。
【００３４】
本考案は、以上の実施形態に限定されるものでなく、本考案の要旨を逸脱しない範囲内で、種々の追加、変更または削除が可能である。例えば、電極式水位センサ５０（図３）は設けられなくてもよい。また、水圧式水位センサ６０を収納する空間３０が形成されず、水圧式水位センサ６０が用いられなくてもよい。もっとも、水圧式水位センサ６０を収納する空間３０が形成されているが、水圧式水位センサ６０が用いられなくてもよい。また、電極式水位センサ５０（図３）、水圧式水位センサ６０（図４（ｂ））およびレーザー式水位計７０（図７（ａ）および（ｂ））は、任意に組み合わせて用いられてもよい。
【符号の説明】
【００３５】
１，１Ａ                量水標設置具
２                      量水標
１０，１０Ａ            長手部材
【図１】
0003220770.tif 000003
【図２】
0003220770.tif 000004
【図３】
0003220770.tif 000005
【図４】
0003220770.tif 000006
【図５】
0003220770.tif 000007
【図６】
0003220770.tif 000008
【図７】
0003220770.tif 000009
【図８】
0003220770.tif 000010
【図９】
0003220770.tif 000011
【図１０】
0003220770.tif 000012